(57)【要約】【課題】カメラのアクセサリシューの接続端子（接触端子）に接続される接続端子（リード端子）が接触端子に適切な強さで摺動することができるカメラ用アクセサリ機器を提供する。【解決手段】支持部材１５、端子保持部材１６、接続端子（リード端子）１７、装着リング１８、第１，第２のカム機構Ａ，Ｂを備えている。支持部材１５は角状の貫通穴１５ａを形成した円柱状の部材で，端子保持部材１６は貫通穴１５ａ内で往復動可能に挿入され、軸方向に複数のピン挿通孔を形成している。接続端子１７は端子保持部材１６のピン挿通孔を貫通し、端子保持部材１６の外端面と内端面とから突出する。装着リング１８は支持部材１５を外嵌し、周方向に正転・逆転する。第１のカム機構Ａは装着リング１８の正転・逆転によって端子保持部材１６を往動・復動させる。第２のカム機構Ｂは装着リング１８の正転・逆転によって接続端子１７に適切な外向きの付勢力を付与する。【選択図】図３
2012220605.tif 000002
【特許請求の範囲】
【請求項１】
軸方向に角状の貫通穴を形成した円柱状の支持部材と、該支持部材の貫通穴内で往復動可能に挿入され、かつ、軸方向に複数のピン挿通孔を形成した端子保持部材と、該端子保持部材のピン挿通孔を貫通し、かつ、先端部と基端部とがそれぞれ端子保持部材の外端面と内端面とから突出する接続端子と、周方向に正転・逆転可能に支持部材を外嵌した装着リングと、該装着リングの正転・逆転によって前記端子保持部材を支持部材の貫通穴内で往動・復動させる第１のカム機構とを備えたカメラ用アクセサリ機器であって、前記端子保持部材の往動・復動によって前記接続端子に適切な外向きの付勢力を付与する第２のカム機構が備えられていることを特徴とするカメラ用アクセサリ機器。
【請求項２】
前記第２のカム機構は、前記支持部材の貫通穴内に入れられ、前記接続端子の基端部側が貫通する連通孔を形成し、外側面が前記端子保持部材の内側面と対峙し、かつ、内側面が傾斜面とされたスライダと、該スライダの傾斜面と定位置で周設するアタッチメントと、前記端子保持部材とスライダとの間で露出している部分の接続端子に設けられた鍔状部と、該鍔状部と前記スライダとの間隔を広げる方向に付勢力を付与するバネ部材とを備えていることを特徴とする請求項１に記載のカメラ用アクセサリ機器。
【請求項３】
前記アタッチメントは、前記支持部材の基端側を塞ぐ基台部に突設されていることを特徴とする請求項２に記載のカメラ用アクセサリ機器。
【発明の詳細な説明】
【技術分野】
【０００１】
本発明は、カメラのアクセサリシューに装着されるカメラ用アクセサリ機器に関し、詳しくは、カメラに備えられた電子回路と電気的に接続するための接続端子を備えたカメラ用アクセサリ機器に関する。
【背景技術】
【０００２】
カメラ用アクセサリ機器としてストロボ装置や電子ファインダーなどが提供されている。ストロボ装置は、図７に示すように、光源（図示せず）を収納した発光部１と電子回路や電源などを収納した本体部２とを組み合わせたものであり、本体部２の底部には、カメラのアクセサリシュー１００（図８参照）に装着するためのシュー３が備えられている。
【０００３】
シュー３は、本体部２の底部に固定された基台部４、本体部２内の電子回路に接続されている複数のピン状の接続端子（以下、「リード端子」ともいう。）５、カメラのアクセサリシュー１００に係止するシュー金具６、シュー金具６がカメラのアクセサリシュー１００から外れないようにするための装着リング７を備えている。
【０００４】
そして、このようなストロボ装置のシュー３は、カメラのアクセサリシュー１００に装着されることで、カメラのアクセサリシュー１００に設けられた面状の接続端子（以下、「接触端子」ともいう。）１０１（図８参照）とリード端子５とが接続され、カメラ側で設定された露出制御とストロボ装置の発光制御が連動する。
【０００５】
しかし、ストロボ装置のリード端子５及びカメラの接触端子１０１は、金属によって形成されていることから、酸化膜が形成されることがある。すると、リード端子５と接触端子１０１との間の電気抵抗が大きくなり、ストロボ装置が誤動作することもある。そこで、リード端子５と接触端子１０１に形成された酸化膜を除去することができるようにしたカメラ用アクセサリ機器（ストロボ装置）が特許文献１に開示されている。
【０００６】
このストロボ装置のシュー３は、図８に示すように、リード端子５が挿通する複数の孔を形成した端子保持部材８と、この端子保持部材８が（図８において左右方向に）往復動自在に嵌められる角状の貫通穴を形成した変形円筒状の支持部材９と、リード端子５をカメラの接触端子１０１の方に付勢する端子バネ１０とをさらに備えている。
【０００７】
そして、前記装着リング７には、内周面に溝カム部１１が形成されている。溝カム部１１は、図９に示すように、中間の凸状部１１ｂの両側に凹状部１１ａ，１１ｂを連続させた窪み部であり、支持部材９を貫通する付勢ピン１２の一端部が当接する。付勢ピン１２の他端部は、端子保持部材８に固定されている。また、付勢ピン１２を溝カム部１１に押し付けるバネ１３が、端子保持部材８と支持部材９との間に介在している。
【０００８】
このようなストロボ装置のシュー３がカメラのアクセサリシュー１００に装着されると、図８に示すように、リード端子５と接触端子１０１が接触する。ストロボ装置のリード端子５は、装着された際、図９（ａ）に示すように、付勢ピン１２が溝カム部１１の一方の凹状部１１ａに位置し、バネ１３が端子保持部材８を付勢ピン１２の方（図９において下方）に付勢し、リード端子５が初期位置にある。
【０００９】
そして、装着リング７が周方向（図９において反時計方向）にわずかに回される（捻（ひね）られる）と、図９（ｂ）に示すように、付勢ピン１２が溝カム部１１の凸状部１１ｂに位置し、バネ１３が圧縮されることで、端子保持部材８及びリード端子５がバネ１３側（図９において上側）に移動する。
【００１０】
さらに、装着リング７が周方向（図９において反時計方向）に捻られると、図９（ｃ）に示すように、付勢ピン１２が溝カム部１１の他方の凹状部１１ｃに位置し、端子保持部材８がバネ１３に押されて付勢ピン１２の方に戻り、リード端子５が規定位置で停止することで、ストロボ装置とカメラとの電気的接続が完了する。
【００１１】
このように、このストロボ装置のシュー３は、装着リング７を一方向にわずかに捻ることで、ストロボ装置のリード端子５がカメラの両端子５，１０１上を摺動し、接続端子の表面に付着した酸化膜や汚れを除去することができる。
【先行技術文献】
【特許文献】
【００１２】
【特許文献１】特開２０１１−２６８１号公報
【発明の概要】
【発明が解決しようとする課題】
【００１３】
特許文献１に記載されたストロボ装置は、カメラのアクセサリシュー１００に装着するに際して、リード端子５の先端部を端子バネ１０によってカメラの接続端子に押し付ける。したがって、強固に付着した酸化膜などを除去するには、端子バネ１０のバネ力を大きくし、リード端子５をカメラの接触端子１０１に強く押し付けなければならない。
【００１４】
しかし、端子バネ１０のバネ力が大きくされると、リード端子５は、ストロボ装置の接触端子１０１の酸化膜などを除去するだけでなく、カメラのアクセサリシュー１００の接触端子１０１以外の表面などをも擦り付けるため、アクセサリシュー１００の外観を損ねてしまう。
【００１５】
そこで、本発明は、カメラのアクセサリシューの接続端子（接触端子）に接続される接続端子（リード端子）がカメラのアクセサリシューの接続端子（接触端子）に適切な強さをもって摺動することができるようにしたカメラ用アクセサリ機器を提供することを課題とする。
【課題を解決するための手段】
【００１６】
請求項１に記載されたカメラ用アクセサリ機器は、軸方向に角状の貫通穴を形成した円柱状の支持部材と、該支持部材の貫通穴内で往復動可能に挿入され、かつ、軸方向に複数のピン挿通孔を形成した端子保持部材と、該端子保持部材のピン挿通孔を貫通し、かつ、先端部と基端部とがそれぞれ端子保持部材の外端面と内端面とから突出する接続端子と、周方向に正転・逆転可能に支持部材を外嵌した装着リングと、該装着リングの正転・逆転によって前記端子保持部材を支持部材の貫通穴内で往動・復動させる第１のカム機構とを備えたカメラ用アクセサリ機器であって、前記端子保持部材の往動・復動によって前記接続端子に適切な外向きの付勢力を付与する第２のカム機構が備えられていることを特徴としている。
【００１７】
このカメラ用アクセサリ機器によれば、カメラのアクセサリシューに係止しただけの状態から固定されるまでの間、及びカメラのアクセサリシューから外すまでの間（カメラのアクセサリシューの接続端子に接続するとき）において、装着リングが正転・逆転すると、第１のカム機構によって端子保持部材が往動・復動し、第２のカム機構によって接続端子に適切な外向きの付勢力が付与され、この接続端子がカメラのアクセサリシューの接続端子上を適切な外向きの付勢力をもって摺動するようにすることができる。
【００１８】
換言すれば、このカメラ用アクセサリ機器は、カメラのアクセサリシューの接続端子に接続するとき以外は、装着リングを正転・逆転しないことにより、端子保持部材が往動・復動せず、したがって、接続端子が弱い外向きの付勢力でカメラのアクセサリシューの接続端子以外の表面上を摺動し、その表面を傷付けないようにすることができる。
【００１９】
また、請求項２に記載されたカメラ用アクセサリ機器は、請求項１に記載のカメラ用アクセサリ機器において、前記第２のカム機構は、前記支持部材の貫通穴内に入れられ、前記接続端子の基端部側が貫通する連通孔を形成し、外側面が前記端子保持部材の内側面と対峙し、かつ、内側面が傾斜面とされたスライダと、該スライダの傾斜面と定位置で周設するアタッチメントと、前記端子保持部材とスライダとの間で露出している部分の接続端子に設けられた鍔状部と、該鍔状部と前記スライダとの間隔を広げる方向に付勢力を付与するバネ部材とを備えていることを特徴としている。
【００２０】
このカメラ用アクセサリ機器によれば、第２のカム機構がスライダとアタッチメントと接続端子の鍔状部とバネ部材とを備えていることにより、装着リングを正転させることで、アタッチメントがスライダの傾斜面を押圧し、スライダが往動しつつわずかに下降し、バネ部材が圧縮され、端子保持部材から突出している接続端子に付与される外向きの付勢力が強められる。
【００２１】
そして、装着リングを逆転させると、アタッチメントがスライダの傾斜面を押圧しなくなり、スライダが復動しつつ、わずかに上昇し、バネ部材が圧縮されなくなることで、端子保持部材から突出している接続端子の外向きの付勢力が弱められる。
【００２２】
また、請求項３に記載されたカメラ用アクセサリ機器は、請求項２に記載のカメラ用アクセサリ機器において、前記アタッチメントは、前記支持部材の基端側を塞ぐ基台部に突設されていることを特徴としている。
【００２３】
このアクセサリ機器によれば、前記アタッチメントが支持部材の基端側を塞ぐ基台部に突設されたものであることにより、アタッチメントが定位置においてスライダの傾斜面と摺接するようにすることができる。
【発明の効果】
【００２４】
本発明によれば、装着リングの正転・逆転によって接続端子を突出・退入方向に移動させる第１、第２のカム機構を備えたカメラ用アクセサリ機器が提供されることにより、このカメラ用アクセサリ機器を装着するカメラのアクセサリシューの接続端子周辺を傷付けないようにすることができる。
【図面の簡単な説明】
【００２５】
【図１】本発明に係るカメラ用アクセサリ機器の一実施形態の要部を示す概略斜視図
【図２】本発明に係るカメラ用アクセサリ機器の一実施形態の要部を示し、（ａ）は背面図、（ｂ）は（ａ）のＩ−Ｉ線断面図、（ｃ）は（ａ）のＩＩ−ＩＩ線断面図
【図３】本発明に係るカメラ用アクセサリ機器の一実施形態の要部であって、第１の段階を示し、（ａ）は背面図、（ｂ）は（ａ）のＩＩＩ−ＩＩＩ線断面図
【図４】本発明に係るカメラ用アクセサリ機器の一実施形態の要部であって、第２の段階を示し、（ａ）は背面図、（ｂ）は（ａ）のＩＶ−ＩＶ線断面図
【図５】本発明に係るカメラ用アクセサリ機器の一実施形態の要部であって、第３の段階を示し、（ａ）は背面図、（ｂ）は（ａ）のＶ−Ｖ線断面図
【図６】本発明に係るカメラ用アクセサリ機器の一実施形態の要部であって、第４の段階を示し、（ａ）は背面図、（ｂ）は（ａ）のＶＩ−ＶＩ線断面図
【図７】カメラ用アクセサリ機器の一例を示す概略斜視図
【図８】従来のカメラ用アクセサリ機器の要部を示す図７のＹ−Ｙ線断面図
【図９】従来のカメラ用アクセサリ機器の要部を示す図７のＸ−Ｘ線断面図であって、（ａ）は初期状態の断面正面図、（ｂ）は途中の状態の断面正面図、（ｃ）は規定位置での断面正面図
【発明を実施するための形態】
【００２６】
本発明に係るカメラ用アクセサリ機器の一実施形態について図１ないし図６を参照しながら説明する。このカメラ用アクセサリ機器（以下、「ストロボ装置」という。）は、基台部１４、支持部材１５、端子保持部材１６、接続端子（以下、「リード端子」という。）１７、装着リング１８、第１のカム機構Ａ、第２のカム機構Ｂをシュー１９に備えている。
【００２７】
基台部１４は、図２（ｃ）に示すように、基盤１４ａの外周縁から枠状部１４ｂを内外（図面において上下）方向に突出し、内側（図面において上側）の枠状部１４ｂからフランジ１４ｃを外向きに設けている。フランジ１４ｃがストロボ装置の本体部２（図７参照）に固定される。
【００２８】
そして、支持部材１５は、基台部１４の外側に固定され、軸方向に角状の貫通穴１５ａを形成し、貫通穴１５ａの外側面から径方向に切欠部１５ｂを形成したものとされている。
【００２９】
そして、端子保持部材１６（図２ないし図６において太線で示す。）は、支持部材１５に形成された貫通穴１５ａ内で隙間を空けて（図２（ａ）（ｂ）において上下方向に）往復動可能に挿入され、かつ、リード端子１７が貫通するピン挿通孔を（図面では５か所に）形成したものとされている。また、端子保持部材１６には、内側（図２（ｂ）において右側）面において、凹んだ凹陥部１６ａと、前記支持部材１５の切欠部１５ｂに嵌る突出部１６ｂとが設けられている。
【００３０】
そして、装着リング１８は、図３ないし図６に示すように、前記支持部材１５を外嵌して６０°程度正転・逆転可能に捻る円環状の部材であり、摘み部１８ａを突出し、内周面に溝カム部２０を形成している。この溝カム部２０は、中間の凸状部２０ｂの両側に凹状部２０ａ，２０ｃを連続して形成したもので、前記端子保持部材１６の突出部１６ｂが当接する。
【００３１】
このような溝カム部２０と端子保持部材１６の突出部１６ｂとによって第１のカム機構Ａが構成される。すなわち、第１のカム機構Ａは、装着リング１８が捻られ、端子保持部材１６の突出部１６ｂが溝カム部２０の凹状部２０ａ，２０ｃに位置したときに、端子保持部材１６を外側（図３ないし図６において上側）に位置させ、端子保持部材１６の突出部１６ｂが溝カム部２０の凸状部２０ｂに位置したときに、端子保持部材１６を中心側に位置させる。
【００３２】
そして、端子保持部材１６の往復動に連動するスライダ２１（図２（ａ）、図３ないし図６において太い点線で示す。）が端子保持部材１６の凹陥部１６ａ内に空間を空けて嵌められた状態に入れられている。スライダ２１は、端子保持部材１６の凹陥部１６ａ内においてわずかに昇降もする（図２（ａ）、図３ないし図６の各（ａ）において左右方向に微動する。）。
【００３３】
そして、スライダ２１の一方の内側面には、中心側に向かって次第に深くなる傾斜面２１ａが形成されている。また、スライダ２１には、前記端子保持部材１６のピン挿通孔に連続してリード端子１７を貫通させる連通孔が形成されている。
【００３４】
そして、基台部１４には、前記スライダ２１の傾斜面２１ａに当たるアタッチメント１４ｄが形成されている。したがって、アタッチメント１６ｄもスライダ２１の傾斜面２１ａと同じ角度に傾斜している。
【００３５】
そして、端子保持部材１６の凹陥部１６ａとスライダ２１との間の空間で露出しているリード端子１７には、拡径した鍔状部１４ａが設けられている。そして、リード端子１７を外嵌するバネ部材（圧縮バネ）２２がこの鍔状部１７ａとスライダ２１の外側面との間に挟まれている。この圧縮バネ２２は、一端がスライダ２１の外側面に当接していることにより、リード端子１７の鍔状部１７ａからリード端子１７に適切な外向きの付勢力（バネ力）を付与する。
【００３６】
このスライダ２１、アタッチメント１４ｄ、リード端子１７の鍔状部１７ａ、圧縮バネ２２によって第２のカム機構Ｂが構成される。第２のカム機構Ｂは、端子保持部材１６が外側に位置したときに、圧縮バネ２２によってスライダ２１を基台部１４の方に押し付け、また、端子保持部材１６が中心側に位置したときに、アタッチメント１４ｄがスライダ２１を押し下げる。押し下げられたスライダ２１は、圧縮バネ２２を圧縮し、鍔状部１７ａからリード端子１７に付与される外向きの付勢力が強められる。
【００３７】
そして、支持部材１５の外側面には、装着リング１８に隣接するロック用リング２３が外嵌している。この装着リング１８が回されることによってロック用リング２３が軸方向に往復動し、このロック用リング２３に追従してロックピン２４が支持部材１５から突出・退入する。
【００３８】
このストロボ装置のシュー１９は、以上のように構成され、次に、このシュー１９によってカメラのアクセサリシュー（図１ないし図６では図示せず）に装着するときの操作について説明する。
【００３９】
ストロボ装置のシュー１９がカメラのアクセサリシューに係止しただけ、すなわち、装着リング１８が捻られていないレバーアンロックの状態においては、図３に示すように、端子保持部材１６の突出部１６ｂが溝カム部２０の一方の凹状部２０ａに位置している。
【００４０】
このとき、第２のカム機構Ｂにより、端子保持部材１６が外寄りに位置し、アタッチメント１４ｄがスライダ２１の傾斜面２１ａに上向き（図３（ｂ）において右向き）の力を作用させる。
【００４１】
すると、アタッチメント１４ｄは、基台部１４側に上昇した位置となるため、リード端子１７の先端部は、カメラの接続端子（接触端子）に接触しているものの、外向きの付勢力は弱いものとなっている（例えば、アタッチメント１４ｄは接点位置から０．６ｍｍ基台部１４側に近寄った状態となり、リード端子１７には２２４ｇの接点圧が加えられる。）
そして、装着リング１８を図４に示すように、反時計方向に３０°程度捻ると、端子保持部材１６の突出部１６ｂが溝カム部２０の凸状部２０ｂに位置し、第１，第２のカム機構Ａ，Ｂが作用する。すなわち、端子保持部材１６は、突出部１６ｂが溝カム部２０の一方の凹状部２０ａと凸状部２０ｂの中間部に押されることで、中心方向（図面において下方向）に微動し、端子保持部材１６の凹陥部１６ａに嵌められた状態のスライダ２１も中心方向に微動する。
【００４２】
すると、スライダ２１の傾斜面２１ａがアタッチメント１４ｄ上を滑ることにより、端子保持部材１６が外方向（図４（ｂ）において左方向）に微動（下降）する。このとき、アタッチメント１４ｄが圧縮バネ２２をわずかに圧縮することで、圧縮バネ２２がリード端子１７を鍔部１７ａにバネ力を加え、リード端子１７に加えられる付勢力が強くされる（アタッチメント１４ｄは接点位置の原点に位置し、リード端子１７には２７６ｇの接点圧が加えられる。）
そして、装着リング１８を図５に示すように、反時計方向にさらに３０°程度（レバーアンロックの状態から６０°程度）捻ると、第１，第２のカム機構Ａ，Ｂが前記と同様に作用する。すなわち、端子保持部材１６の突出部１６ｂが溝カム部２０の凸状部２０ｂに押されることで、端子保持部材１６がさらに中心方向に微動する。すると、スライダ２１も傾斜面２１ａがアタッチメント１４ｄに当たりながら中心方向に微動する。
【００４３】
したがって、スライダ２１は、アタッチメント１４ｄによってさらに押し下げられ、圧縮バネ２２をさらにわずかに圧縮することで、リード端子１７に付与される付勢力が高められる。したがって、装着リング１８が３０°程度以上に捻られると、リード端子１７は、カメラの接触端子上を適切な外向きの付勢力をもって摺動する。（例えば、アタッチメント１４ｄは接点位置から０．６ｍｍ突出（基台部１４から離間）し、リード端子１７には３２７ｇの接点圧が加えられる。）
また、装着リング１８は、レバーアンロック状態から３０°以上に捻られると、ロック用リング２３が押し下げられ、ロックピン２４が突出する。したがって、これ以降、ストロボ装置はカメラから外れないようになる。
【００４４】
そして、装着着リングを図６に示すように、さらに捻るとレバーロック位置となり、ストロボ装置の装着が完了する。このレバーロック位置においても、第１，第２のカム機構Ａ，Ｂが作用する。すなわち、端子保持部材１６の突出部１６ｂが溝カム部２０の他方の凹状部２０ｃに位置するため、端子保持部材１６は外寄り（図面において上側）の位置に戻る。したがって、アタッチメント１４ｄがスライダ２１の傾斜面２１ａに外向き（図６（ｂ）において右向き）の力を作用させることで、アタッチメント１４ｄも外寄りの位置に戻される。
【００４５】
すると、圧縮バネ２２のバネ力が小さくなり、リード端子１７を外向きに突出させる付勢力が弱められる。（このとき、例えば、アタッチメント１４ｄは接点位置の原点に戻り、リード端子１７には２７６ｇの接点圧が加えられる。）
このようにリード端子１７は、適切な付勢力が付与されながら、接触端子上を微動するため、リード端子１７及び接触端子に付着した酸化膜や汚れを除去することができる。したがって、ストロボ装置の電子回路とカメラの電子回路とが接続される。しかも、ストロボ装置をカメラのアクセサリシューに装着するまでの間は、リード端子１７に強い付勢力が付与されないため、リード端子１７がカメラのアクセサリシューを傷付けることがない。
【００４６】
なお、本発明は、前記実施の形態に限定することなく種々変更することができる。例えば、端子保持部材１６の凹陥部１６ａであって、突出部１６ｂを設けていない側の面とスライダ２１との間にも圧縮バネ（図示せず）を介在させてもよい。この圧縮バネは、第２のリンク機構の作用を補助するように、スライダ２１を往復動させる。また、端子保持部材１６の突出部１６ｂは、端子保持部材１６の本体部に別体のピンを突出させたものとしてもよい。
【００４７】
また、本発明のカメラ用アクセサリ機器は、ストロボ装置以外に電子ファインダーなどでも同様に構成することができる。
【産業上の利用可能性】
【００４８】
本発明のカメラ用アクセサリ機器は、カメラとの電気的接続をより確実にするものであって、接続端子によってカメラとの電気的接続を行う機器、カメラからの制御信号によって動作する機器に適用することができる。
【符号の説明】
【００４９】
１４    基台部
１４ｄ  アタッチメント
１５    支持部材
１５ａ  貫通穴
１６    端子保持部材
１７    接続端子（リード端子）
１８    装着リング
１９    シュー
２０    溝カム部
２０ａ  凹状部
２０ｂ  突状部
２０ｃ  凹状部
２１    スライダ
２１ａ  傾斜面
２２    圧縮バネ
Ａ      カム機構
Ｂ      カム機構
【図２】
2012220605.tif 000003
【図３】
2012220605.tif 000004
【図４】
2012220605.tif 000005
【図５】
2012220605.tif 000006
【図６】
2012220605.tif 000007
【図７】
2012220605.tif 000008
【図８】
2012220605.tif 000009
【図９】
2012220605.tif 000010
【図１】
2012220605.tif 000011